【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
背景用シート（３）に関する背景情報（Ｓ１）が入力される背景情報入力部（１１）と、背景用の画像データが保持される背景情報保持部（１２）と、前記背景情報（Ｓ１）の入力を受けて、前記背景情報保持部（１２）から画像データ（Ｄ１）を取得して、背景図（Ａ）として画面（６）に表示させる背景作成部（１３）と、からなる背景選択システム（１０）と、
前記背景図（Ａ）の上に表示しようとする素材（４）に関する素材情報（Ｓ２）が入力される素材情報入力部（２１）と、素材用画像データが保持される素材情報保持部（２２）と、前記素材用画像データが表示された素材候補領域（２４）から選択された前記素材情報（Ｓ２）を素材図（Ｂ）として移動可能にすると共に所望の位置に配置させる素材選択システム（２０）と、
を含んで構成されたことを特徴とするクラフト支援システム。
【請求項２】
前記素材（４）は、所定形状にシート材を打ち抜くことができるパンチ（９）によって形成される図形であり、打ち抜かれた素材用シート材を前記背景図（Ａ）に貼り付ける旨の前記素材情報（Ｓ２）の入力と共に、該素材用シート材の形状及び色彩の選択を可能とし、穿ち抜かれた図形部と、該図形部の残部の何れを使用するかの選択を可能としたことを特徴とする請求項１に記載のクラフト支援システム。
【請求項３】
前記素材（４）は、所定形状にシート材を打ち抜くことができるパンチ（９）によって形成される図形であり、前記背景図を打ち抜いて形成される型抜き作品とするか、打ち抜かれた素材用シート材を前記背景図に貼り付けて形成される貼付け作品とするかの選択を可能とし、
型抜き作品とする旨の前記素材情報（Ｓ２）が入力された際には、前記背景図（Ａ）を反転又は回転させるための反転指示情報の入力を可能とし、該反転指示信号の入力を受けて前記背景図（Ａ）を反転させ、
貼付け作品とする旨の前記素材情報（Ｓ２）が入力された際には、前記素材（４）を反転又は回転させるための反転指示情報の入力を可能とし、該反転指示信号の入力を受けて前記打ち抜かれた素材用シート材を反転させることを特徴とする請求項１又は請求項２に記載のクラフト支援システム。
【請求項４】
材料に関わる商品を特定するための商品情報と、該商品情報に対応付けられた価格情報とを保持する材料情報保持部（３１）を有すると共に、初期値の入力された会計表示部（４１）を画面（６’）に表示し、
前記背景情報（Ｓ１）又は前記素材情報（Ｓ２）が入力された際に、該情報に基づいて前記材料情報保持部（３１）から価格情報を取得し、先に表示されている数値に加算して前記会計表示部（４１）に表示する材料調達支援システム（５０）を更に含んで構成されたクラフト支援システム（１）であって、
前記背景情報（Ｓ１）及び前記素材情報（Ｓ２）の入力が終了したことを示す完了情報（Ｓ４）が入力された際に、画面（６’）に表示された前記材料情報を含むショップの販売商品に関する販売情報（Ｄ５）を購買用の画面に表示し、注文商品を特定するための購入商品情報（Ｓ５）の入力を受けて、ショップ（９）に向けての発注情報（Ｓ６）を作成し、送出するように構成されたことを特徴とする請求項１〜請求項３のいずれか１つの請求項に記載のクラフト支援システム。
【請求項５】
前記素材（４）は、スタンプをシート材に押印することによって形成されるスタンプ図形であり、スタンプのインクを透明色とするか不透明色とするかの選択を促すインク情報入力部を画面上に表示し、透明色が選択された場合は、既に表示されている既表示素材との共通領域を、該既表示素材との混合色で表示するように構成されたことを特徴とする請求項１〜請求項４のいずれか１つの請求項に記載のクラフト支援システム。
【請求項６】
前記背景用シート材（３）に素材（４）を配置する際の基準位置表示と、前記背景図（Ａ）と、を印刷するための印刷処理部を含んで構成されたことを特徴とする請求項１〜請求項５のいずれか１つの請求項に記載のクラフト支援システム。
【手続補正２】
【補正対象書類名】明細書
【補正対象項目名】０００６
【補正方法】変更
【補正の内容】
【０００６】
上記課題を解決するために、本発明に係るクラフト支援システムは、背景用シートに関する背景情報が入力される背景情報入力部と、背景用の画像データが保持される背景情報保持部と、前記背景情報の入力を受けて、前記背景情報保持部から画像データを取得して、背景図として画面に表示させる背景作成部と、からなる背景選択システムと、前記背景図の上に表示しようとする素材に関する素材情報が入力される素材情報入力部と、素材用画像データが保持される素材情報保持部と、前記素材用画像データが表示された素材候補領域から選択された前記素材情報を素材図として移動可能にすると共に所望の位置に配置させる素材選択システムと、を含んで構成されたことを特徴とするものである。
この場合、前記素材は、所定形状にシート材を打ち抜くことができるパンチによって形成される図形であり、打ち抜かれた素材用シート材を前記背景図に貼り付ける旨の前記素材情報の入力と共に、該素材用シート材の形状及び色彩の選択を可能とし、穿ち抜かれた図形部と、該図形部の残部の何れを使用するかの選択を可能としてもよい。
また、前記素材は、所定形状にシート材を打ち抜くことができるパンチによって形成される図形であり、前記背景図を打ち抜いて形成される型抜き作品とするか、打ち抜かれた素材用シート材を前記背景図に貼り付けて形成される貼付け作品とするかの選択を可能とし、型抜き作品とする旨の前記素材情報が入力された際には、前記背景図を反転又は回転させるための反転指示情報の入力を可能とし、該反転指示信号の入力を受けて前記背景図を反転させ、貼付け作品とする旨の前記素材情報が入力された際には、前記素材を反転又は回転させるための反転指示情報の入力を可能とし、該反転指示信号の入力を受けて前記打ち抜かれた素材用シート材を反転させることを特徴とするものであってもよい。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、材料に関わる商品を特定するための商品情報と、該商品情報に対応付けられた価格情報とを保持する材料情報保持部を有すると共に、初期値の入力された会計表示部を画面に表示し、前記背景情報又は前記素材情報が入力された際に、該情報に基づいて前記材料情報保持部から価格情報を取得し、先に表示されている数値に加算して前記会計表示部に表示する材料調達支援システムを更に含んで構成されたクラフト支援システムであって、前記背景情報及び前記素材情報の入力が終了したことを示す完了情報が入力された際に、画面に表示された前記材料情報を含むショップの販売商品に関する販売情報を購買用の画面に表示し、注文商品を特定するための購入商品情報の入力を受けて、ショップに向けての発注情報を作成し、送出するように構成されたことを特徴とするものであってもよい。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、前記素材は、スタンプをシート材に押印することによって形成されるスタンプ図形であり、スタンプのインクを透明色とするか不透明色とするかの選択を促すインク情報入力部を画面上に表示し、透明色が選択された場合は、既に表示されている既表示素材との共通領域を、該既表示素材との混合色で表示するように構成してもよい。
また、前記背景用シート材に素材を配置する際の基準位置表示と、前記背景図と、を印刷するための印刷処理部を含んで構成されたことを特徴とするものであってもよい。
【手続補正７】
【補正対象書類名】明細書
【補正対象項目名】００１１
【補正方法】変更
【補正の内容】
【００１１】
請求項１に係るクラフト支援システムは、背景用シートに関する情報と、背景図の上に表示しようとする素材に関する情報を入力することで、コンピュータ装置の画面上に表示された背景図上の所望の位置に素材をドラッグして完成予想図を作成することができる。
これによって、高い創作性が要求される工芸作品作りにおいて、失敗の危険性を低減できる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２に係るクラフト支援システムは、所定形状にシート材を打ち抜くことができるパンチによって、素材となる図形を形成することとし、背景図を打ち抜いて型抜き作品を形成するか、打ち抜かれた素材用シート材を背景図に貼り付けて貼付け作品を形成するかの選択を可能としたので、創作の幅が広がり、より独創性の高い作品を作成することができる。
そして、貼付け作品の場合、打ち抜かれた図形部と、該図形部の残部の何れを使用するかの選択が可能なので、創作性の幅が一層高いものとなる。
【手続補正１０】
【補正対象書類名】明細書
【補正対象項目名】００１４
【補正方法】変更
【補正の内容】
【００１４】
請求項３に係るクラフト支援システムは、所定形状にシート材を打ち抜くことができるパンチによって、素材となる図形を形成することとし、背景図を打ち抜いて型抜き作品を形成するか、打ち抜かれた素材用シート材を背景図に貼り付けて貼付け作品を形成するかの選択を可能としたので、創作の幅が広がり、より独創性の高い作品を作成することができる。型抜き作品の場合は、背景図を反転させた状態でパンチで打ち抜くので、左右対称の図形を形成することができ、創作の幅が広がる。
【手続補正１１】
【補正対象書類名】明細書
【補正対象項目名】００１５
【補正方法】変更
【補正の内容】
【００１５】
請求項４に係るクラフト支援システムは、作品製作に必要な材料費が画面上に表示されるので、予算に制約のある作品作りの場合に便利である。また、作品製作に必要な材料を商店に出向かなくても入手できるので便利である。
請求項５に係るクラフト支援システムは、背景図上の素材を、スタンプをシート材に押印することによって形成し、スタンプのインクを透明色とするか不透明色とするかの選択が可能なので、背景図を所望の色彩に着色する際の完成状態をシミュレートすることができる。
請求項６に係るクラフト支援システムは、素材を配置する際の基準位置表示と背景図とを印刷できるようにしたので、汎用されているクラフト用紙を使用して、コンピュータ装置上でシミュレートした作品を容易に作成することができる。
【手続補正１２】
【補正対象書類名】明細書
【補正対象項目名】００１６
【補正方法】変更
【補正の内容】
【００１６】
【図１】本発明の実施形態に係るクラフト支援システムの構成を示すブロック図である。
【図２】上記クラフト支援システムによって作成される工芸作品を示す正面図である。
【図３】上記工芸作品を作成する道具として使用したクラフトパンチを示す斜視図である。
【図４】上記クラフトパンチの縦断面図である。
【図５】上記工芸作品の母材となる背景用シートに関する情報の入力画面を示し、（ａ）は入力を促す画面であり、（ｂ）は入力した後に表示される画面である。
【図６】背景用シートに関する情報が保持されるデータベースの構造を示す説明図であり、（ａ）は背景情報に画像データが対応されて保持される状態、（ｂ）は背景情報の構造を示す。
【図７】素材情報の入力画面を示す説明図であり、（ａ）は素材候補の中から所望のものの選択を促す状態を示し、（ｂ）は入力した後に表示される画面である。
【図８】素材用画像のデータベースの構造を示す説明図である。
【図９】素材を背景図上の所望の位置に配置する際の画面の状態を示す説明図であり、（ａ）は素材をクリックする前であり、（ｂ）はクリックして所望の位置にドラッグする状態を示す。
【図１０】素材の位置を決定する際の画面の状態を示す説明図であり、（ａ）は穿孔操作を行う旨の情報を入力する前であり、（ｂ）は入力後の状態を示す。
【図１１】材料情報に関するデータベースの構造を示す説明図である。
【図１２】素材の表現方法として逆アップリケが選択された状態の画面を示す説明図であり、（ａ）は選択時の状態であり、（ｂ）はクリックして所望の位置にドラッグする状態を示す。
【図１３】素材の表現方法として、背景用紙を裏返してパンチする逆型抜の方法が選択された場合の画面を示す説明図であり、（ａ）は選択時の状態であり、（ｂ）はクリックして所望の位置にドラッグする状態を示す。
【図１４】先に表示された図形に加えて、新たな図形を加える場合の画面の状態を示す説明図であり、（ａ）は素材をクリックする前であり、（ｂ）はクリックして所望の位置にドラッグする状態を示す。
【図１５】上記実施態様の変形例を示すブロック図である。
【図１６】上記変形例における購入画面を示す説明図であり、（ａ）は購入すべき商品を選択する際の状態を示し、（ｂ）は購入信号を入力する際の状態を示す。
【図１７】上記変形例において背景図形を印刷する際の画面の状態を示す説明図である。
【手続補正１３】
【補正対象書類名】明細書
【補正対象項目名】００２３
【補正方法】変更
【補正の内容】
【００２３】
次に、素材選択システム２０について説明する。
素材選択システム２０は、素材情報入力部２１と、素材情報保持部２２と、素材作成部２３と、によって構成される。
素材情報入力部２１には、素材選択用の画面６’の表示７に従って、背景図Ａの上に表示する素材４に関する素材情報Ｓ２が入力される。この場合、複数の素材候補を画面６’上の素材候補領域２４に表示し、その中から所望のものを選択させることで入力される（図７（ａ）を参照）。本実施形態における素材４とは、クラフトパンチ５で素材用シート材を穿孔することによって生成されるパンチ図形であり、背景用シート材３を直接打ち抜いた型抜き作品とするか、素材用紙を穿孔し、その穿孔片をアップリケとして背景用シート材３に貼り付けた貼付け作品（即ち、アップリケ）にするか、穿孔片の残部を貼り付けた貼付け作品（逆アップリケ）とするか、を選択させるための表現方法選択部２５が設けられている。
【手続補正１４】
【補正対象書類名】明細書
【補正対象項目名】００４６
【補正方法】変更
【補正の内容】
【００４６】
１・・・クラフト支援システム
２・・・カード（作品）
３・・・背景用シート
４・・・素材
５・・・クラフトパンチ（材料）
６・・・画面
７・・・表示
８・・・入力手段
９・・・ショップ
１０・・・背景選択システム
１１・・・背景情報入力部
１２・・・背景情報保持部
１３・・・背景作成部
１４・・・背景選択領域
１５・・・作業テーブル
２０・・・素材選択システム
２１・・・素材情報入力部
２２・・・素材情報保持部
２３・・・素材作成部
２４・・・素材候補領域
２５・・・表現方法選択部
２６・・・素材表示領域
３０・・・材料表示システム
３１・・・材料情報保持部
３２・・・材料表示作成部
３３・・・背景用の材料表示領域
３４・・・素材用の材料表示領域
３５・・・素材用紙枚数表示部
４０・・・会計システム
４１・・・会計表示領域
４２・・・価格算出部
４３・・・価格情報保持部
４４・・・完了情報入力部
５０・・・材料調達支援システム
６０・・・商品発注システム
６１・・・購買情報保持部
６２・・・販売情報
６３・・・表示領域
６４・・・ショップで購入可能な商品を表示した領域
６５・・・購入画面
６６・・・購入画面作成部
６７・・・素材用紙の枚数表示部
６８・・・購入信号部
６９・・・発注情報作成部
７０・・・印刷処理システム
７１・・・基準位置作成部
７２・・・作成方法表示部
７３・・・印刷用の画像情報
７４・・・印刷状態確認領域
７５・・・印刷情報作成部